(57)【要約】【課題】様々な被写体を撮影した画像を送信できる携帯電話機を提供する。【解決手段】撮影された被写体に対応する小ジャンルを操作部２０８から入力するようキャラクタＣが要求し（Ｓ１４）、入力された小ジャンルは画像データと対応させてＤＢ１３に記憶される（Ｓ１０１）。ある携帯電話機２からアップロードされた画像データの属する大ジャンルの比率が算出され（Ｓ１０２）、最も比率の小さい大ジャンルに対応するいずれかの小ジャンルを撮影するようキャラクタＣ’が指示するため（Ｓ１８）、様々なジャンルの被写体をバランス良く撮影するようユーザに促すことができる。ユーザはこのキャラクタＣ’を見ることで気軽に多数の撮影を行うことが期待され、カメラ部２０１の活発な使用が期待できる。【選択図】  図６
2005260492.tif 000002
【特許請求の範囲】
【請求項１】
表示手段と、
操作入力を受け付ける操作手段と、
前記操作手段が撮像を開始する旨の指示を受け付けたことに応じて被写体を撮像し、被写体像を表す画像データを出力する撮影手段と、
前記画像データを送信する送信手段と、
撮影すべき被写体の属する分類を決定する決定手段と、
前記決定された分類に属する被写体を撮影するよう指示するキャラクタを前記表示手段に表示させる表示制御手段と、
を備える携帯電話機。
【請求項２】
前記表示制御手段は前記画像データの出力に応じて前記画像データで表される被写体とともに動作するキャラクタを表示させる請求項１に記載の携帯電話機。
【請求項３】
前記表示制御手段は前記画像データで表される被写体を分類するよう指示するキャラクタを前記表示手段に表示させ、
前記操作手段は前記画像データで表される被写体の分類を受け付け、
前記送信手段は、前記画像データと前記画像データで表される被写体の分類とを対応づけて送信する請求項１又は２に記載の携帯電話機。
【請求項４】
前記決定手段は、前記送信された画像データで表される被写体の分類に基づき前記撮影すべき被写体の属する分類を決定する請求項３に記載の携帯電話機。
【請求項５】
前記決定手段は、各分類に属する被写体の数に基づき前記撮影すべき被写体の属する分類を決定する請求項４に記載の携帯電話機。
【発明の詳細な説明】
【技術分野】
【０００１】
本発明は携帯電話機に係り、特に画像を外部に送信できる携帯電話機に関する。
【背景技術】
【０００２】
近年、カメラ付き携帯電話機の普及に伴い、各ユーザから送信された撮影画像を一括してサーバにて管理し、ユーザがサーバにアクセスして容易に撮影画像を整理・閲覧できるようなサービスが提供されている。例えば、特許文献１のセンターサーバは、データベースに保管された画像ファイルをネットワークで公開する。センターサーバは、公開された画像を閲覧したユーザＡがセンターサーバに対して入力した各種情報を取り込み、これらの情報に基づいてデータベースから指定された画像ファイルを読み出し、その画像ファイルを添付書類形式に変換し、画像添付メールを生成して、指定された宛先であるユーザＢに送信する。
【特許文献１】特開平１１−２２４２２８号公報
【発明の開示】
【発明が解決しようとする課題】
【０００３】
しかし、特許文献１の技術の場合、そもそもセンターサーバに様々な被写体を撮影した画像が登録されていなければ、ユーザＡが頻繁に画像を閲覧することは期待できず、システムの利用頻度も低下してしまう。このような問題点に鑑み、本発明は様々な被写体を撮影した画像を送信できる携帯電話機を提供することを目的とする。
【課題を解決するための手段】
【０００４】
上述の課題を解決するため、請求項１に係る発明は、表示手段と、操作入力を受け付ける操作手段と、前記操作手段が撮像を開始する旨の指示を受け付けたことに応じて被写体を撮像し、被写体像を表す画像データを出力する撮影手段と、前記画像データを送信する送信手段と、撮影すべき被写体の属する分類を決定する決定手段と、前記決定された分類に属する被写体を撮影するよう指示するキャラクタを前記表示手段に表示させる表示制御手段と、を備える携帯電話機である。
【０００５】
この発明によると、撮影すべき被写体の分類を指示するキャラクタが表示されるため、ユーザはこの指示に従って被写体を撮影することが期待され、撮影すべき被写体の分類の指示を適宜変化させることで様々な画像が送信されることが期待される。
【０００６】
請求項２に係る発明は、請求項１に記載の携帯電話機において、前記表示制御手段は前記画像データの出力に応じて前記画像データで表される被写体とともに動作するキャラクタを表示させる。
【０００７】
この発明によると、画像を撮影すると被写体とともに動作するキャラクタを見ることができ、画像を撮影する楽しみが増す。
【０００８】
請求項３に係る発明は、請求項１又は２に記載の携帯電話機において、前記表示制御手段は前記画像データで表される被写体を分類するよう指示するキャラクタを前記表示手段に表示させ、前記操作手段は前記画像データで表される被写体の分類を受け付け、前記送信手段は、前記画像データと前記画像データで表される被写体の分類とを対応づけて送信する。
【０００９】
この発明によると、被写体を分類することにより画像データの整理が容易になる。
【００１０】
請求項４に係る発明は、請求項３に記載の携帯電話機において、前記決定手段は、前記送信された画像データで表される被写体の分類に基づき前記撮影すべき被写体の属する分類を決定する。
【００１１】
この発明によると、既に撮影された被写体の分類に基づいて次回に撮影すべき被写体の分類が決定される。従って、例えばある特定の分類に属する被写体の数が少ないなど、被写体の分類に偏りがある場合は、その是正を図ることができる。
【００１２】
請求項５に係る発明は、請求項４に記載の携帯電話機において、前記決定手段は、各分類に属する被写体の数に基づき前記撮影すべき被写体の属する分類を決定する。
【００１３】
この発明によると、特定の分類に属する被写体の数に偏りがある場合は、その分類の被写体を撮影するよう要求することで偏りの是正を図ることができる。
【発明の効果】
【００１４】
この発明によると、撮影すべき被写体の分類を指示するキャラクタが表示されるため、ユーザはこの指示に従って被写体を撮影することが期待され、撮影すべき被写体の分類の指示を適宜変化させることで様々な画像が送信されることが期待される。
【発明を実施するための最良の形態】
【００１５】
以下、添付した図面を参照し本発明の好ましい実施の形態を説明する。
【００１６】
＜第１実施形態＞
［概略構成］
図１は、本発明の好ましい実施形態に係る画像サービスシステムのブロック構成図である。このシステムは、インターネットなどのネットワーク４に接続されたサービスサーバ１と、携帯電話機２と、携帯電話機２と無線接続し、携帯電話機２をネットワーク４に接続させる無線基地局３とを備えている。サービスサーバ１は、メールサーバ１１、ＷＥＢサーバ１２及びデータベース（ＤＢ）１３を有している。
【００１７】
図２は、携帯電話機２の機能ブロック図である。携帯電話機２は、カメラ部２０１、画像メモリ２０２、圧縮伸張部２０３、メモリ２０４、表示部２０５、プロトコル変換部２０６、無線通信部２０７、操作部２０８、制御部２０９を有している。なお、通常の携帯電話機として機能するためのマイクやスピーカ等も設けられているが、図２では省略している。制御部２０９は、携帯電話機２の各回路ブロックと接続されており、テンキーなどの操作キーを含む操作部２０８から入力される指示信号に基づいて各ブロックを制御する。操作部２０８に設けられたシャッターボタンが押下されると制御部２０９はカメラ部２０１に撮像の開始を指示し、カメラ部２０１はこれに応じて撮像を行う。カメラ部２０１は撮像された画像情報を電子画像データに変換して画像メモリ２０２に記憶する。画像メモリ２０２の画像データは液晶画面などで構成された表示部２０５に表示できる。この画像データは圧縮伸張部２０３で圧縮処理されてメモリ２０４に記憶される。メモリ２０４に記憶された画像データは、プロトコル変換部２０６において宛先情報（例えばメールサーバ１１のメールアドレス）や一意的な差出人情報（例えば携帯電話機２に一意的に割り当てられたユーザＩＤやメールアドレス）などをヘッダ情報に付加し、所定のプロトコルに従って無線通信部２０７に送られる。無線通信部２０７に送られた画像データは、アンテナ２１０から無線基地局３を介してメールサーバ１１などに送信される。差出人情報はメモリ２０４の一態様であるＲＯＭに記憶されている。説明の簡略のため、無線通信部２０７は電子メールを送受信する機能を有し、差出人情報はメールアドレスであるとする。
【００１８】
携帯電話機２は、特定のＵＲＬ（Uniform Resource Locator）で指定されるＷＥＢサーバ１２にアクセスしてＪａｖａ（登録商標）アプリケーション等の各種アプリケーションをＤＢ１３からダウンロードしてメモリ２０４に保存する機能を有する。制御部２０９は、メモリ２０４に保存したアプリケーションを実行する。本実施形態において、ＤＢ１３からダウンロードされたアプリケーションは、一旦起動すると携帯電話機２の電源が入っている状態すなわち動作中は常にメモリ２０４に画像データが記憶されたか否かを判断し、メモリ２０４に画像データが記憶されている場合はその画像データをＤＢ１３にアップロードさせる制御を制御部２０９に実行させる機能を有する常駐アプリケーションである。以下、このアプリケーションを待ち受けアプリケーションという。待ち受けアプリケーションのダウンロードは、特定の携帯電話機２だけが行えるようにしてもよいし、どの携帯電話機２からダウンロードできるようにしてもよい。例えば、サービスサーバ１に認証サーバを設けておき、ユーザＩＤやパスワードなどで認証を受けた携帯電話機２だけが待ち受けアプリケーションをダウンロードできるようにしてもよい。また、待ち受けアプリケーションのダウンロードの方法も任意であり、例えばメールサーバ１１が待ち受けアプリケーションのダウンロードサイトとなるＷＥＢサーバ１２を指定するＵＲＬをハイパーリンクしたメールを上記の認証を受けた携帯電話機２に送信してもよい。そして、携帯電話機２がこのメールを受信し、メールのハイパーリンクからＷＥＢサーバ１２にアクセスして待ち受けアプリケーションをダウンロードできるようにしてもよい。
【００１９】
ＷＥＢサーバ１２は待ち受けアプリケーションを起動した携帯電話機２から画像データのアップロードを受け付ける。アップロードされた画像データはＤＢ１３に記憶される。ＤＢ１３に記憶された画像データは、様々な方法で利用することができる。例えば、サービスサーバに認証サーバを設け、認証サーバの認証を受けたユーザのみがＤＢ１３に記憶された画像データを日記形式で閲覧したりや画像データを他のユーザがダウンロードできるようにしてもよい。
【００２０】
図３は、ＤＢ１３に記憶される情報の概念説明図である。ＤＢ１３は、ジャンルテーブルと画像テーブルを有しており、図３（ａ）はジャンルテーブルに記憶される情報、図３（ｂ）は画像テーブルに記憶される情報の一例を示している。ジャンルテーブルは、アップロードされた画像データを分類する情報であり、大ジャンルと小ジャンルの２つのジャンルに階層化されている。各小ジャンルはいずれか１つの大ジャンルに対応している。図３（ａ）を参照すると、例えば大ジャンル「生き物」には、複数の小ジャンルである「犬」、「猫」、「好きな人」、「鳥」が対応している。図３（ａ）は一例であり、図示された以外の大ジャンル・小ジャンルを記憶させてもよい。
【００２１】
図３（ｂ）の画像テーブルは、携帯電話機２からアップロードされた各画像データに、その携帯電話機２に一意的に割り当てられたメールアドレスと小ジャンルとを対応させて記憶している。図３（ｂ）を参照すると、例えばファイル名「dog1.jpg」の画像ファイルには、メールアドレス「user1@xxx.ne.jp」と小ジャンル「犬」が対応している。各画像に対応させる小ジャンルは後述するように携帯電話機２から画像データをアップロードさせるときに指定する。また、画像テーブルは、各メールアドレスに対応して大ジャンル比率を記憶するが、大ジャンル比率の詳細については後述する。
【００２２】
［画像アップロード処理］
次に、図４のフローチャートに基づき、待ち受けアプリケーションの実行する画像アップロード処理を説明する。この処理は、操作部２０８の操作などにより待ち受けアプリケーションの起動が指示されることで開始する。
【００２３】
Ｓ１１では、図６（ａ）に示すように、カメラ部２０１への撮影指示を待つ状態を示したキャラクタＣを表示部２０５に表示させる。このキャラクタＣは電話の発信や着信等がない場合は常に表示部２０５に表示されるいわゆる待ち受け画面で表示される。Ｓ１２では、カメラ部２０１に撮影指示がなされ、画像データがメモリ２０４に記憶されたか否かを判断する。画像データが記憶された場合はＳ１３へ移行し、記憶されない場合はＳ１１に戻る。
【００２４】
Ｓ１３では、図６（ｂ）に示すように、メモリ２０４に記憶された画像データで表現される撮像Ｉとともに遊戯するキャラクタＣを表示部２０５に表示させる。ユーザは、自分の撮影した被写体とともに遊ぶキャラクタＣを見ることができるため、カメラ部２０１で被写体を撮影する楽しみが増す。
【００２５】
Ｓ１４では、図６（ｃ）に示すように、撮像Ｉに対応する小ジャンルを操作部２０８から入力するよう要求する内容のキャラクタＣを表示部２０５に表示させる。この要求は対話形式で行うことが望ましい。Ｓ１５では、操作部２０８から小ジャンルの入力がされたか否かを判断する。小ジャンルの入力があった場合はＳ１６に移行し、入力されない場合はＳ１４に戻る。なお、小ジャンルの入力を容易にするには、小ジャンルを表示部２０５にリスト表示させてその中から所望の小ジャンルを操作部２０８に含まれる十字キーなどで選択させることで小ジャンルの入力を受け付けるようにすればよい。Ｓ１６では、メモリ２０４に記憶された画像データをＳ１５で入力された小ジャンルに対応させてサービスサーバ１にアップロードする。コメントを含んだテキストデータなど各種データを画像データに添付してサービスサーバ１にアップロードできるようにしてもよい。
【００２６】
Ｓ１７では、サービスサーバ１から送信された後述の被写体指示を受信したか否かを判断する。この被写体指示は、次に携帯電話機２のカメラ部２０１で撮影すべき被写体を指示するキャラクタを表示部２０５に表示させる機能を有する。被写体指示はアプリケーションであってもよいし、撮影すべき被写体を指示するキャラクタを待ち受けアプリケーションに指示するコードなどであってもよい。被写体指示を受信した場合はＳ１８に移行し、受信しなかった場合はＳ１１に戻る。Ｓ１８では、図６（ｄ）に示すように、受信した被写体指示に従って被写体を指示するキャラクタＣ’を表示部２０５に表示させる。この図では、被写体「花」が指示されている。Ｓ１８の終了後、処理はＳ１１に戻る。
【００２７】
なお、処理ステップＳ１１〜Ｓ１８を実行する待ち受けアプリケーションは、上述のとおりサービスサーバ１のＤＢ１３に記憶されており、携帯電話機２にダウンロードすることで制御部２０９が実行するアプリケーションである。
【００２８】
［画像記憶処理］
上述の処理ステップＳ１６において、携帯電話機２から画像データと小ジャンルがアップロードされると、サービスサーバ１は次の画像記憶処理を行う。図５は、携帯電話機２から画像データと小ジャンルがアップロードされたときにサービスサーバ１が実行を開始する画像記憶処理の流れを示すフローチャートである。
【００２９】
Ｓ１０１では、サービスサーバ１は、アップロードされた画像データを差出人情報のメールアドレス及び小ジャンルと対応づけてＤＢ１３に記憶する（図３（ｂ）参照）。Ｓ１０２では、Ｓ１０１で記憶したメールアドレス（以下、送信者メールアドレスという）に対応する各画像データが属する大ジャンルを、画像データに対応する小ジャンル及びジャンルテーブル（図３（ａ）参照）に基づき特定する。次に、送信者メールアドレスのアップロードした各画像データに対応する大ジャンルの数を異なる大ジャンル毎に集計する。そして、この各大ジャンルの数を送信者メールアドレスに対応する全ての画像データの数で割り１００を掛けることで算出されるパーセンテージ（大ジャンル比率という）を送信者メールアドレスに対応させてＤＢ１３に記憶する。
【００３０】
例えば図３（ｂ）に示すように、送信者メールアドレス「user1@xxx.ne.jp」に対応する画像データ「dog1.jpg」の小ジャンルは「犬」であり、ジャンルテーブルに従うと小ジャンル「犬」に対応する大ジャンルは「生き物」である。同様に、送信者メールアドレス「user1@xxx.ne.jp」に対応する画像データ「travel.jpg」の小ジャンルは「山」であり、ジャンルテーブルに従うと小ジャンル「山」に対応する大ジャンルは「風景」である。送信者メールアドレス「user1@xxx.ne.jp」のアップロードした画像データの属する大ジャンルの数を異なる大ジャンルごとに集計すると、「生き物」は１、「静止物」は０、「風景」は１、「その他」は０となる。従って、「生き物」の大ジャンル比率は、１／２×１００＝５０％と算出される。同様にして、風景の大ジャンル比率は５０％、静止物の大ジャンル比率及びその他の大ジャンル比率は０％と算出される。
【００３１】
Ｓ１０３では、各大ジャンルの大ジャンル比率のうち最小の大ジャンル比率を有する大ジャンル（以下、最小比率大ジャンルという）を決定する。上記の送信者メールアドレス「user1@xxx.ne.jp」に対応する最小比率大ジャンルは静止物及びその他である。なお、このように最小比率大ジャンルが複数存在する場合はその中からランダムに１つの大ジャンルを決定する。
【００３２】
Ｓ１０４では、ジャンルテーブルを参照し、最小比率大ジャンルに対応する小ジャンルのうち１つの小ジャンルをランダムに指定する。例えば、最小比率大ジャンルが「静止物」である場合、小ジャンル「花」、「木」、「夕焼け」、「ごはん」の中から１つの小ジャンルがランダムに指定される。Ｓ１０５では、Ｓ１０４で指定された小ジャンルを通知するデータである被写体指示を携帯電話機２に送信する。例えば、被写体指示で指示される小ジャンルが「花」の場合、上述の画像アップロード処理のＳ１８により、図６（ｄ）に示すように「花」を被写体として撮影すべき旨を要求するキャラクタＣ’が表示部２０５に表示される。
【００３３】
以上の画像アップロード処理及び画像記憶処理では、撮影された被写体に対応する小ジャンルを操作部２０８から入力するようキャラクタＣが要求し（Ｓ１４）、入力された小ジャンルは画像データと対応させてＤＢ１３に記憶される（Ｓ１０１）。ある携帯電話機２からアップロードされた画像データの属する大ジャンルの比率が算出され（Ｓ１０２）、最も比率の小さい大ジャンルに対応するいずれかの小ジャンルを撮影するようキャラクタＣ’が指示するため（Ｓ１８）、様々なジャンルの被写体をバランス良く撮影するようユーザに促すことができる。ユーザはこのキャラクタＣ’を見ることで気軽に多数の撮影を行うことが期待され、カメラ部２０１の活発な使用が期待できる。
【００３４】
＜その他の実施形態＞
（Ａ）上述の画像記憶処理のＳ１０４では、最小比率大ジャンルに対応する小ジャンルをランダムに指定していたが、小ジャンルの指定はこれに限る必要はなく、適宜変更可能である。例えば、各大ジャンルの大ジャンル比率がいずれも２０％以上である場合は大ジャンルとは無関係に小ジャンルをランダムに１つ指定してもよい。あるいは、２０％を下回る大ジャンル比率を有する大ジャンルが１又は複数ある場合、その大ジャンルに対応する小ジャンルからランダムに１つの小ジャンルを指定してもよい。
【００３５】
（Ｂ）サービスサーバ１は、画像記憶処理のＳ１０２で算出した各大ジャンルの大ジャンル比率のうち、他の大ジャンル比率に比べて極端に少ない大ジャンル比率があったり（例えば最大の大ジャンル比率から最小の大ジャンル比率を引いた値が５０％以上）、各大ジャンル比率に偏りがある（例えば、いずれか１つの大ジャンル比率だけが１０％を下回る）か否かを判断し、その判断結果を携帯電話機２に通知するようにしてもよい。携帯電話機２がこの通知を受信した場合、画像アップロード処理のＳ１１で表示する待ち受けキャラの移動速度を遅くするなどしてキャラクタＣの元気がなくなったような様子を表示部２０５に表示させてもよい。画像をアップロードすることで上述のような大ジャンル比率の偏りが解消された場合、サービスサーバ１はその旨を携帯電話機２に通知し、携帯電話機２がこの通知を受信した場合、画像アップロード処理のＳ１１で表示する待ち受けキャラの移動速度を速くしキャラクタＣが元気を回復した様子を表示してもよい。この場合、ユーザはキャラクタＣの元気のない様子を見てキャラクタＣを元気な動きに戻すために画像をアップロードしカメラ部２０１の使用機会を増すことが期待される。
【図面の簡単な説明】
【００３６】
【図１】本発明の好ましい実施形態に係る画像サービスシステムのブロック構成図
【図２】携帯電話機の機能ブロック図
【図３】データベースに記憶される情報の説明図
【図４】画像アップロード処理の流れを示すフローチャート
【図５】画像記憶処理の流れを示すフローチャート
【図６】表示部のキャラクタ表示を例示した図
【符号の説明】
【００３７】
１：サービスサーバ、２：携帯電話機
【図１】
2005260492.tif 000003
【図２】
2005260492.tif 000004
【図３】
2005260492.tif 000005
【図４】
2005260492.tif 000006
【図５】
2005260492.tif 000007
【図６】
2005260492.tif 000008